(57)【要約】      （修正有）【課題】通信インタフェースへの負荷を抑制する。【解決手段】送信装置は、外部装置に対し、ＨＤＭＩ（登録商標：Ｈｉｇｈ  Ｄｅｆｉｎｉｔｉｏｎ  Ｍｕｌｔｉｍｅｄｉａ  Ｉｎｔｅｒｆａｃｅ）規格に準拠した伝送路を介して映像を送信するものであって、読み込んだ映像データを、ＹＣｒＣｂ４：２：０フォーマットの映像データに変換する。変換された映像データの輝度情報及び色差情報をＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）符号化し、符号化で得られる、ＴＭＤＳクロックに対応した差動信号を所定の伝送フォーマットで送信する。所定の伝送フォーマットは、符号化された色差情報を伝送チャネルのチャネル０のみに割り当て、符号化された輝度情報を伝送チャネルとしてチャネル１、２のみに割り当て、ＴＭＤＳクロック毎に２つの輝度情報と１つの色差情報とを差動信号で送信する。【選択図】図４
2015029337.tif 000002
【特許請求の範囲】
【請求項１】
外部装置に対し、ＨＤＭＩ規格に準拠した伝送路のチャネル０、チャネル１、チャネル２を介して映像を送信する送信装置であって、
ＹＣｒＣｂ４：２：０フォーマットとは異なるフォーマットの映像データを読み込む読み込み手段と、
読み込まれた前記異なるフォーマットの映像データを、前記ＹＣｒＣｂ４：２：０フォーマットの映像データに変換する変換手段と、
変換により得られた、ＹＣｒＣｂ４：２：０フォーマットの映像データの輝度情報及び色差情報をＴＭＤＳ符号化するＴＭＤＳ符号化手段と、
前記ＴＭＤＳ符号化により得られる信号をＴＭＤＳクロックに対応する差動信号として所定の伝送フォーマットで送信する送信手段と、
を備え、
前記所定の伝送フォーマットは、前記ＴＭＤＳ符号化された前記色差情報の伝送チャネルとして前記チャネル０のみを割り当て、前記ＴＭＤＳ符号化された前記輝度情報の伝送チャネルとして前記チャネル１及び前記チャネル２のみを割り当てて、前記ＴＭＤＳクロック毎に２つの輝度情報と１つの色差情報とを差動信号で送信するフォーマットである、送信装置。
【請求項２】
外部装置に対し、ＨＤＭＩ規格に準拠した伝送路のチャネル０、チャネル１、チャネル２を介して映像を送信する送信装置であって、
ＹＣｒＣｂ４：２：０フォーマットの映像データの輝度情報及び色差情報をＴＭＤＳ符号化するＴＭＤＳ符号化手段と、
前記ＴＭＤＳ符号化により得られる信号をＴＭＤＳクロックに対応する差動信号として所定の伝送フォーマットで送信する送信手段と、
を備え、
前記所定の伝送フォーマットは、前記ＴＭＤＳ符号化された前記色差情報の伝送チャネルとして前記チャネル０のみを割り当て、前記ＴＭＤＳ符号化された前記輝度情報の伝送チャネルとして前記チャネル１及び前記チャネル２のみを割り当てて、前記ＴＭＤＳクロック毎に２つの輝度情報と１つの色差情報とを差動信号で送信するフォーマットである、送信装置。
【請求項３】
前記送信手段は、前記所定の伝送フォーマットで映像を送信していることを示す情報を、フレームのブランク領域に含めて送信する、請求項１又は２に記載の送信装置。
【請求項４】
前記ＹＣｒＣｂ４：２：０フォーマットの前記映像データは、１つの映像フレームの一つのラインあたりの水平画素数が第１の値であり、
前記送信手段は、前記１つの映像フレームの２つの前記ライン分の前記輝度情報及び色差情報の全てを、前記第１の値の数の前記ＴＭＤＳクロックに対応する差動信号で送信する、請求項１乃至３のいずれかに記載の送信装置。
【請求項５】
外部装置に対し、ＨＤＭＩ規格に準拠した伝送路のチャネル０、チャネル１、チャネル２を介して映像を送信する送信装置であって、ＹＣｒＣｂ４：２：０フォーマットとは異なるフォーマットの映像データを読み込む読み込み手段と、読み込まれた前記異なるフォーマットの映像データを、前記ＹＣｒＣｂ４：２：０フォーマットの映像データに変換する変換手段と、変換により得られた、１つの映像フレームの水平画素数が第１の値のＹＣｒＣｂ４：２：０フォーマットの映像データの輝度情報及び色差情報をＴＭＤＳ符号化するＴＭＤＳ符号化手段と、前記ＴＭＤＳ符号化により得られる信号をＴＭＤＳクロックに対応する差動信号として所定の伝送フォーマットで送信する送信手段と、を備え、前記所定の伝送フォーマットが、前記ＴＭＤＳ符号化された前記色差情報の伝送チャネルとして前記チャネル０のみを割り当て、前記ＴＭＤＳ符号化された前記輝度情報の伝送チャネルとして前記チャネル１及び前記チャネル２のみを割り当てて、前記第１の値の数の前記ＴＭＤＳクロック毎に２つの輝度情報と１つの色差情報とを差動信号で送信するフォーマットである、前記送信装置から、前記映像データを受信する受信装置であって、
前記所定の伝送フォーマットに対応するか否かに関する情報を受信する第１の受信手段と、
前記チャネル０を介して前記色差情報を受信し、前記チャネル１及び前記チャネル２を介して前記輝度情報を受信する第２の受信手段と、
前記第１の受信手段により受信された情報が、前記所定の伝送フォーマットに対応していることを示している場合、前記第１の値の数の前記ＴＭＤＳクロックに対応する差動信号により送信され、前記第２の受信手段により受信された前記色差情報及び輝度情報を用いて、前記第１の値の数の２倍の数の画素の映像を出力する出力手段と、
を備える受信装置。
【請求項６】
外部装置に対し、ＨＤＭＩ規格に準拠した伝送路のチャネル０、チャネル１、チャネル２を介して映像を送信する送信装置であって、ＹＣｒＣｂ４：２：０フォーマットの映像データの輝度情報及び色差情報をＴＭＤＳ符号化するＴＭＤＳ符号化手段と、前記ＴＭＤＳ符号化により得られる信号をＴＭＤＳクロックに対応する差動信号として所定の伝送フォーマットで送信する送信手段と、を備え、前記所定の伝送フォーマットが、前記ＴＭＤＳ符号化された前記色差情報の伝送チャネルとして前記チャネル０のみを割り当て、前記ＴＭＤＳ符号化された前記輝度情報の伝送チャネルとして前記チャネル１及び前記チャネル２のみを割り当てて、前記ＴＭＤＳクロック毎に２つの輝度情報と１つの色差情報とを差動信号で送信するフォーマットである、送信装置から、前記映像データを受信する受信装置であって、
前記所定の伝送フォーマットに対応するか否かに関する情報を受信する第１の受信手段と、
前記チャネル０を介して前記色差情報を受信し、前記チャネル１及び前記チャネル２を介して前記輝度情報を受信する第２の受信手段と、
前記第１の受信手段により受信された情報が、前記所定の伝送フォーマットに対応していることを示している場合、前記第１の値の数の前記ＴＭＤＳクロックに対応する差動信号により送信され、前記第２の受信手段により受信された前記色差情報及び輝度情報を用いて、前記第１の値の数の２倍の数の画素の映像を出力する出力手段と、
を備える受信装置。
【請求項７】
前記送信手段は、前記所定の伝送フォーマットで映像を送信していることを示す情報を、フレームのブランク領域に含めて送信する、請求項５又は６に記載の受信装置。
【請求項８】
外部装置に対し、ＨＤＭＩ規格に準拠した伝送路のチャネル０、チャネル１、チャネル２を介して映像を送信する送信方法であって、
ＹＣｒＣｂ４：２：０フォーマットとは異なるフォーマットの映像データを読み込み手段が読み込むステップと、
読み込まれた前記異なるフォーマットの映像データを、前記ＹＣｒＣｂ４：２：０フォーマットの映像データに変換手段が変換するステップと、
変換により得られた、ＹＣｒＣｂ４：２：０フォーマットの映像データの輝度情報及び色差情報をＴＭＤＳ符号化手段がＴＭＤＳ符号化するステップと、
前記ＴＭＤＳ符号化により得られる信号をＴＭＤＳクロックに対応する差動信号として所定の伝送フォーマットで送信手段が送信するステップと、
を有し、
前記所定の伝送フォーマットは、前記ＴＭＤＳ符号化された前記色差情報の伝送チャネルとして前記チャネル０のみを割り当て、前記ＴＭＤＳ符号化された前記輝度情報の伝送チャネルとして前記チャネル１及び前記チャネル２のみを割り当てて、前記ＴＭＤＳクロック毎に２つの輝度情報と１つの色差情報とを差動信号で送信するフォーマットである、送信方法。
【請求項９】
外部装置に対し、ＨＤＭＩ規格に準拠した伝送路のチャネル０、チャネル１、チャネル２を介して映像を送信する送信装置であって、ＹＣｒＣｂ４：２：０フォーマットとは異なるフォーマットの映像データを読み込む読み込み手段と、読み込まれた前記異なるフォーマットの映像データを、前記ＹＣｒＣｂ４：２：０フォーマットの映像データに変換する変換手段と、変換により得られた、１つの映像フレームの水平画素数が第１の値のＹＣｒＣｂ４：２：０フォーマットの映像データの輝度情報及び色差情報をＴＭＤＳ符号化するＴＭＤＳ符号化手段と、前記ＴＭＤＳ符号化により得られる信号をＴＭＤＳクロックに対応する差動信号として所定の伝送フォーマットで送信する送信手段と、を備え、前記所定の伝送フォーマットが、前記ＴＭＤＳ符号化された前記色差情報の伝送チャネルとして前記チャネル０のみを割り当て、前記ＴＭＤＳ符号化された前記輝度情報の伝送チャネルとして前記チャネル１及び前記チャネル２のみを割り当てて、前記第１の値の数の前記ＴＭＤＳクロック毎に２つの輝度情報と１つの色差情報とを差動信号で送信するフォーマットである、前記送信装置から、前記映像データを受信する受信方法であって、
前記所定の伝送フォーマットに対応するか否かに関する情報を第１の受信手段が受信するステップと、
前記チャネル０を介して前記色差情報を受信し、前記チャネル１及び前記チャネル２を介して前記輝度情報を第２の受信手段が受信するステップと、
前記第１の受信手段により受信された情報が、前記所定の伝送フォーマットに対応していることを示している場合、前記第１の値の数の前記ＴＭＤＳクロックに対応する差動信号により送信され、前記第２の受信手段により受信された前記色差情報及び輝度情報を用いて、前記第１の値の数の２倍の数の画素の映像を出力手段が出力するステップと、
を有する受信方法。
【発明の詳細な説明】
【技術分野】
【０００１】
本発明の実施形態は、送信装置、受信装置、送信方法及び受信方法に関する。
【背景技術】
【０００２】
ＤＶＤプレーヤ、セットトップボックス等の映像送信装置とＴＶ受像機・モニタ等の映像受信装置との間のマルチメディアインターフェースの一例としてＨＤＭＩ(High Definition Multimedia Interface)規格がある。ＨＤＭＩ出力端子を有する機器をソース機器と称し、ＨＤＭＩ入力端子を有する機器をシンク機器と称する。映像送信装置はソース機器であり、映像受信装置はシンク機器である。また、ＨＤＭＩ入力端子とＨＤＭＩ出力端子とを有し、ソース機器とシンク機器の両者の機能を有する機器をリピータ機器と称する。
【０００３】
上記したＨＤＭＩ規格に準じた通信を行うＨＤＭＩ通信装置では、映像、音声、補助情報を伝送するＴＭＤＳ（Transition Minimized Differential Signaling）伝送部と、ソース機器をシンク機器あるいはリピータ機器に接続した場合、ソースレディ信号として接続したことをシンク機器あるいはリピータ機器に知らせるための＋５Ｖ電源信号伝送部と、シンク機器あるいはリピータ機器において映像情報の受信準備が整ったことを示すシンクレディ信号としてのＨＰＤ(Hot Plug Detect)信号を伝送するＨＰＤ信号伝送部と、接続されたシンク機器の製品情報や適合する映像フォーマット等のデータであるＥＤＩＤ（Extended Display Identification Data）を伝送するＥＤＩＤ伝送部と、シンク機器の認証を行うＨＤＣＰ（High-bandwidth Digital Content Protection）認証部と、装置制御信号と制御プロトコルであるＣＥＣ（Consumer Electronics Control）を伝送するＣＥＣ伝送部とを有している。
【先行技術文献】
【特許文献】
【０００４】
【特許文献１】特開２００８−２５２８１９号公報
【発明の概要】
【発明が解決しようとする課題】
【０００５】
ところで、近年４Ｋ２Ｋと呼ばれる３８４０×２１６０の高解像度映像に対する要求が高まっている。しかしながら高解像度映像の伝送においては伝送量が大きくなり、通信インタフェースへの不可が大きくなる恐れがある。
【０００６】
そこで本発明の実施形態は、通信インタフェースへの負荷を抑制できる送信装置、受信装置、送信方法及び受信方法の提供を目的とする。
【課題を解決するための手段】
【０００７】
上記の課題を解決するために、本実施形態の送信装置は、外部装置に対し、ＨＤＭＩ規格に準拠した伝送路のチャネル０、チャネル１、チャネル２を介して映像を送信する送信装置である。この送信装置は、読み込み手段、変換手段、ＴＭＤＳ符号化手段、及び送信手段を備える。読み込み手段は、ＹＣｒＣｂ４：２：０フォーマットとは異なるフォーマットの映像データを読み込む。変換手段は、読み込まれた前記異なるフォーマットの映像データを、前記ＹＣｒＣｂ４：２：０フォーマットの映像データに変換する。ＴＭＤＳ符号化手段は、変換により得られた、ＹＣｒＣｂ４：２：０フォーマットの映像データの輝度情報及び色差情報をＴＭＤＳ符号化する。送信手段は、前記ＴＭＤＳ符号化により得られる信号をＴＭＤＳクロックに対応する差動信号として所定の伝送フォーマットで送信する。また、前記所定の伝送フォーマットは、前記ＴＭＤＳ符号化された前記色差情報の伝送チャネルとして前記チャネル０のみを割り当て、前記ＴＭＤＳ符号化された前記輝度情報の伝送チャネルとして前記チャネル１及び前記チャネル２のみを割り当てて、前記ＴＭＤＳクロック毎に２つの輝度情報と１つの色差情報とを差動信号で送信するフォーマットである。
【図面の簡単な説明】
【０００８】
【図１】実施形態の通信装置の利用形態例を示す図。
【図２】実施形態の通信装置のシステム構成例を示す図。
【図３】実施形態の通信装置のシステム構成例を示す図。
【図４】実施形態の通信装置が伝送する映像のピクセルエンコードフォーマット例を説明するための図。
【図５】実施形態の通信装置が利用するビデオタイミングフォーマット例を示す図。
【図６】実施形態の通信装置が記憶するデータの構造例を示す図。
【図７】実施形態の通信装置が送信するデータの構造例を示す図。
【図８】実施形態の通信装置による映像送信に係る処理フローを示す図。
【図９】実施形態の通信装置による映像受信に係る処理フローを示す図。
【発明を実施するための形態】
【０００９】
以下、図面を参照して実施形態を説明する。
【００１０】
図１は、第１の実施の形態に係るデータ伝送システムの一例を示す全体図である。
【００１１】
このデータ伝送システムでは、本実施の形態においてソース機器となる再生装置１００と、シンク機器となる表示装置２００とがＨＤＭＩケーブル３００により接続されている。
【００１２】
再生装置１００は、読み込み部１０１や記憶部１０２（図１には不図示）を備え、光学ディスクや記憶部１０２に記憶された符号化映像データを再生（デコード）する機能を有する。そして再生装置１００は、デコードした映像データをＨＤＭＩケーブル３００を介して表示装置１００に出力する。表示装置２００は、表示部２０３を備え、受信した映像データを用いて映像を表示する。
【００１３】
図２は再生装置１００及び表示装置２００のシステム構成例を示す。
【００１４】
再生装置１００は読み込み部１０１、記憶部１０２、デコード部１０３、ＨＤＭＩ送信部１０４等を備える。読み込み部１０１は光学ディスクに記憶された符号化映像データを読み込んでデコード部１０３に出力する。また記憶部１０２は、例えば録画された符号化映像データを記憶し、記憶した符号化映像データをデコード部１０３に出力する。そしてデコード部１０３は、入力された符号化映像データを例えばＲＧＢ各８ビットの映像データにデコードする。ＨＤＭＩ送信部１０４はデコードされた映像データを所定の伝送フォーマットの映像信号に変換し、ＨＤＭＩケーブル３００を介して表示装置２００に出力する。
【００１５】
表示装置２００は、ＨＤＭＩ受信部２０１、表示処理部２０２、表示部２０３、チューナ２０４、信号処理部２０５等を備える。ＨＤＭＩ受信部２０１は、映像信号を受信し、受信した映像信号を、表示処理部２０２が処理可能な形式（例えばＲＧＢ各８ビットのベースバンドのデータ）の映像データに変換する。そして表示処理部２０２は、ＨＤＭＩ受信部２０１及び信号処理部２０５から入力された映像データを、表示部２０３が表示可能な形式の映像信号に変換し、当該映像信号を表示部２０３に出力する。表示部２０３は入力された映像信号を用いて映像を表示する。
【００１６】
チューナ２０４は、テレビ放送の放送信号を受信する。そして信号処理部２０５は、受信された放送信号を処理して映像データに変換し、表示処理部２０２に出力する。
【００１７】
図３は再生装置１００のＨＤＭＩ送信部１０４と、表示装置２００のＨＤＭＩ受信部２０１のシステム構成を示す図である。
【００１８】
ＨＤＭＩ送信部１０４は、ＴＭＤＳエンコーダ１５１、マイクロコンピュータ（マイコン）１５２、通信部１５３等を備える。また、ＨＤＭＩ受信部２０１は、ＴＭＤＳデコーダ２５１、マイクロコンピュータ（マイコン）２５２、ＥＤＩＤ２５３等を備える。
【００１９】
ＴＭＤＳエンコーダ１５１には、ＲＧＢ各８ビットの映像データが入力される。そしてＴＭＤＳエンコーダ１５１は、入力された映像データを図５及び図６に後述する形式の映像データに変換し、当該変換により生成したピクセルクロックをＣＨ０−ＣＨ２の夫々に出力する。そして不図示の差動アンプが、ＴＭＤＳエンコーダ１５１から出力されたピクセルクロックを差動信号に変換し、ＣＨ０−ＣＨ２の伝送ラインに出力する。なお差動アンプはＣＨ０−ＣＨ２の伝送ラインの夫々に対応するように設けられる。そして当該差動信号は、ＣＨ０−ＣＨ２の伝送ラインを介してＨＤＭＩ受信部２０１に伝送される。
【００２０】
ＨＤＭＩ受信部２０１には、ＣＨ０−ＣＨ２の夫々に対して差動アンプ（不図示）が設けられている。そして当該差動アンプは、ＣＨ０−ＣＨ２からの差動信号を受信すると、当該差動信号をデータに変換してＴＭＤＳデコーダ２５１に出力する。そしてＴＭＤＳでコーダ２５１は、これらデータをＲＧＢ各８ビットの映像データに復号して、表示処理部２０２に出力する。
【００２１】
ソース機器のマイコン１５２は、ＣＥＣ線及びＨＰＤ線によりシンク機器のマイコン２５２と接続される。そしてマイコン１５２及びマイコン２５２は、機器間の相互制御を行うための情報をＣＥＣ線を介して伝送する。またマイコン１５２は、ＨＰＤ線を介して、シンク機器の電源投入完了に応じた信号伝送準備完了をソース機器に通知する。
【００２２】
マイコン１５２の通信部１５３は、ＤＤＣ線を介してシンク機器のＥＤＩＤ２５３と接続される。そして通信部１５３は、ＥＤＩＤ２５３からＥＤＩＤデータを読み出す。
【００２３】
次に図４（Ａ）を参照して、（ＹＣｒＣｂ）４：２：０のフォーマットについて説明する。
【００２４】
例えば、４Ｋ２Ｋの映像を伝送する場合には、当該映像の伝送量を抑制して、通信インタフェースへの不可を抑えられることが好ましい。一方、再生装置１００においてデコードされたソース映像はＲＧＢ４：４：４であり、当該映像の伝送には大きな伝送量を要する。そこで、映像のサンプルフォーマットを（ＹＣｒＣｂ）４：２：０として、データ量を半分にすることを考える。
【００２５】
図４（Ａ）は、４Ｋ２Ｋ映像のＲ，Ｇ，Ｂ信号を（ＹＣｒＣｂ）４：２：０に変換した場合の映像形式を示す。この（ＹＣｒＣｂ）４：２：０フォーマットは、図２での読み込み部１０１で圧縮フォーマットをデコード部１０３にてデコードした直後の、かつR,G,Bに変換する直前のフォーマットである。ここで、輝度情報Ｙ００は、画素Ｐ１の輝度情報を示す。第１色差情報Ｃｂ００は、画素Ｐ１、当該画素Ｐ１に隣接する画素Ｐ２、画素Ｐ１及びＰ２に対して下方向で隣接する画素Ｐ５及びＰ６の４画素についての色差Ｃｂを示す。なお第１色差情報Ｃｂ００は、画素Ｐ１のみについての色差Ｃｂを示すものであっても良い。第２色差情報Ｃｒ１０は、画素Ｐ５、当該画素Ｐ５に隣接する画素Ｐ６、画素Ｐ５及びＰ６に対して上方向で隣接する画素Ｐ１及びＰ２の４画素についての色差Ｃｒを示す。なお第２色差情報Ｃｒ１０は、画素Ｐ５のみについての色差Ｃｒを示すものであっても良い。そして輝度情報Ｙ０１は画素Ｐ２の、輝度情報Ｙ１０は画素Ｐ４の、輝度情報Ｙ１１は画素Ｐ５の輝度を示す。
【００２６】
同様に、輝度情報Ｙ０２は、画素Ｐ３の輝度を示す。第１色差情報Ｃｂ０２は、画素Ｐ３、当該画素Ｐ３に隣接する画素Ｐ４、画素Ｐ３及びＰ４に対して下方向で隣接する画素Ｐ７及びＰ８の４画素についての色差Ｃｂを示す。なお第１色差情報Ｃｂ０２は、画素Ｐ３のみについての色差Ｃｂを示すものであっても良い。第２色差情報Ｃｒ１２は、画素Ｐ７、当該画素Ｐ７に隣接する画素Ｐ８、画素Ｐ７及びＰ８に対して上方向で隣接する画素Ｐ３及びＰ４の４画素についての色差Ｃｒを示す。なお第２色差情報Ｃｒ１２は、画素Ｐ７のみについての色差Ｃｒを示すものであっても良い。そして輝度情報Ｙ０３は画素Ｐ４の、輝度情報Ｙ１２は画素Ｐ６の、輝度情報Ｙ１３は画素Ｐ７の輝度を示す。
【００２７】
このとき、例えば図４（Ｂ）に示すように、図４（Ａ）のフォーマットのデータを１ラインずつ伝送するようにピクセルエンコードし、６０フレーム／秒で表示装置に表示させようとすると、４４００ピクセル（＝画像横方向３８４０ピクセル＋ＨＢ（Ｈｏｒｉｚｏｎｔａｌ  Ｂｌａｎｋ）５６０ピクセル）×２２５０ライン（＝縦２１６０ライン＋ＶＢ（Ｖｅｒｔｉｃａｌ  Ｂｌａｎｋ）９０ライン）×６０Ｈｚ＝５９４メガピクセル／秒となる（図５（Ａ）参照）。即ちこの場合のピクセルクロックは５９４ＭＨｚとなる。しかしながら従来のＨＤＭＩでは最大伝送速度３４０ＭＨｚとなっており、図４（Ｂ）のピクセルエンコードでは映像を伝送できない。
【００２８】
そこで、図４（Ｃ）に示すように、図４（Ａ）のフォーマットのデータのうち輝度成分Ｙを２ラインずつ伝送し、色差成分ＣｂＣｒを１チャンネルに纏めて伝送するようにＴＭＤＳエンコーダ１５１がピクセルエンコードすれば、２１６０ラインのソース映像のデータを１０８０ラインで伝送することができる。即ち図４（Ｃ）の方式では、６０Ｈｚ表示用の映像を伝送する場合のピクセルクロックを図４（Ｂ）の半分の２９７ＭＨｚにすることができる。
【００２９】
図５は、ＹＣｒＣｂ４：２：０でサンプルした４Ｋ２Ｋ映像のビデオタイミングフォーマット例である。ここで図５（Ａ）のフォーマットは、例えば図４（Ｂ）のピクセルエンコード方式を用いた場合のタイミングフォーマット例である。この場合には、図４（Ａ）でも述べたように、各フレームの表示レートを６０Ｈｚにしようとするとピクセルクロックが５９４ＭＨｚ（４４００ピクセル×２２５０ライン×６０Ｈｚ）となる。
【００３０】
図５（Ｂ）及び（Ｃ）は、図４（Ｃ）のピクセルエンコード方式を用いた場合のタイミングフォーマット例である。図５（Ｂ）の例では、ＶＢとして９０ラインを伝送し、続く１０８０ラインで１フレームを伝送する。そして１フレームの伝送に続けて次のフレームが１０８０ラインで伝送される。なおこの方式においては、２２５０ライン単位の伝送を３０Ｈｚで行う。このためこの方式でのピクセルクロックは２９７ＭＨｚ（４４００ピクセル×２２５０ライン×３０Ｈｚ）となる。
【００３１】
図５（Ｃ）の例では、ＶＢとして４５ラインを伝送し、続く１０８０ラインで１フレームを伝送する。そして１０８０＋４５の１１２５ライン単位の伝送を６０Ｈｚで実行する。このためこの方式でのピクセルクロックは２９７ＭＨｚ（４４００ピクセル×１１２５ライン×６０Ｈｚ）となる。
【００３２】
また、図５（Ｂ）及び（Ｃ）のタイミングフォーマットを用いて立体表示用の映像が伝送されても良い。言い換えると、再生装置１００は、例えば右目用画像と左目用画像とを、フレーム周波数と画素伝送クロック周波数が図５（Ａ）フォーマットの１／２になっている図５（Ｂ）及び図５（Ｃ）のフォーマットに含めて送信しても良い。この場合に再生装置１００は、例えば図５（Ｂ）や（Ｃ）のＦｒａｍｅ１の位置に右目用画像を、Ｆｒａｍｅ２の位置に左目用画像を配置して受信装置２００に送信しても良い。
【００３３】
つまり、再生装置１００は、ＹＣｒＣｂ４：２：０ＭＰＥＧフォーマットの右目用画像及び左目用画像のうち、一方を図５（Ｂ）のＶＢの終端から数えて０−１０８０ラインの位置に割り当て、他方をＶＢの終端から数えて１０８０−２１６０ラインの位置に割り当てても良い。
【００３４】
図６は表示装置２００がＥＤＩＤ２５３に記憶するＥＤＩＤデータのデータ構成例である。ＥＤＩＤデータのＰ１０には、表示装置２００が利用可能な例えば、ビデオタイミングフォーマットとして図５（Ｂ）又は図５（Ｃ）等、幾つかの４：２：０フォーマットの情報ＶＩＣ１〜ＶＩＣ６が格納される。なお図６においてＰ１０には「ＹＣｂＣｒ（４：２：０）  ｉｎｄｉｃａｔｏｒ」が格納されているが、当該ｉｎｄｉｃａｔｏｒは利用可能な映像のフォーマットを示すものである。つまり、当該ｉｎｄｉｃａｔｏｒは、例えば伝送フォーマットとしてＹＣｒＣｂ（４：２：０）を利用可能であること、ピクセルエンコード方式として図４（Ｃ）方式が利用可能であること等を示している。
【００３５】
図７は、再生装置１００が映像信号に含めて表示装置２００に送信するＩｎｆｏＦｒａｍｅのデータ構造例を示している。なお当該ＩｎｆｏＦｒａｍｅは、例えば図５におけるブランク領域に重畳されるものである。当該ＩｎｆｏＦｒａｍｅのＰ２０には、伝送する映像の形式を示す情報が含まれる。なお図７において、Ｐ２０には「ＹＣｂＣｒ（４：２：０）  ｉｎｄｉｃａｔｏｒ」が格納されているが、当該ｉｎｄｉｃａｔｏｒは送信する映像のフォーマットを示すものである。つまり、当該ｉｎｄｉｃａｔｏｒは、例えば伝送フォーマットとしてＹＣｒＣｂ（４：２：０）を用いていること、ピクセルエンコード方式として図４（Ｃ）方式を用いていること等を示している。そしてＰ２１のＶＩＣは図６で示されたＶＩＣ１〜６のビデオタイミングフォーマットの内の１つを示している。
【００３６】
次に図８を参照して、再生装置１００による映像送信に係る処理例を説明する。再生装置１００は、所定の解像度（例えば４Ｋ２Ｋ）の映像を表示装置２００に送信することに応じて、通信部１５３を用いて表示装置２００のＥＤＩＤ２５３を読み込む（Ｓ８０１）。そしてマイコン１５２は、読み込んだＥＤＩＤに含まれるｉｎｄｉｃａｔｏｒ（図４のＰ１０）を解析し、再生装置１００が伝送する映像の解像度や映像伝送に利用する映像フォーマットに表示装置２００が対応しているか否かを判別する（Ｓ８０２）。そして、表示装置２００が対応している場合（Ｐ８０２のＹｅｓ）、マイコン１５２は、映像のフォーマットや解像度を示すＩｎｆｏＦｒａｍｅを含む映像信号を表示装置２００に出力させる（Ｓ８０３）。なお再生装置１００は、伝送する映像に対して表示装置２００が対応していない場合（Ｓ８０２のＮｏ）、映像伝送を行わない。
【００３７】
図９は表示装置２００による映像受信に係る処理例を示す図である。まずマイコン２５２は、送信される映像信号に含まれるＩｎｆｏＦｒａｍｅを受信する（Ｓ９０１）。そして当該ＩｎｆｏＦｒａｍｅが示す伝送方式が図４（Ｃ）の方式である場合（Ｓ９０２）、ＴＭＤＳデコーダ２５１は、１０８０ラインに２１６０ライン分の映像が重畳された図４（Ｃ）のフォーマットの映像信号を受信する（Ｓ９０３）。そしてＴＭＤＳデコーダ２５１は、入力された１ラインの映像につき２ラインの映像を表示処理部２０２に出力する。一方表示装置２００は、Ｓ９０２においてＩｎｆｏＦｒａｍｅが示す伝送方式が従来のものであると、（Ｓ９０２のＮｏ）、入力された映像信号を従来の方式で変換し、表示処理部２０２に出力する（Ｓ９０５）。
【００３８】
なお本実施形態においては、４Ｋ２Ｋの映像を送信する場合を例に挙げたが、従来のＨＤ画質（１９２０×１０８０）の映像を送信する場合にも、本実施形態のようにＹＣｒＣｂ４：２：０でサンプルして映像伝送してもよい。
【００３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４０】
１００…再生装置、１０１…読み込み部、１０２…記憶部、１０３…デコード部、１０４…ＨＤＭＩ送信部、１５１…ＴＭＤＳエンコーダ、１５２…マイコン、１５３…通信部、２００…表示装置、２０１…ＨＤＭＩ受信部、２０２…表示処理部、２０３…表示部、２０４…チューナ、２０５…信号処理部、２５１…ＴＭＤＳデコーダ、２５２…マイコン、２５３…ＥＤＩＤ、３００…ＨＤＭＩケーブル。
【図１】
2015029337.tif 000003
【図２】
2015029337.tif 000004
【図３】
2015029337.tif 000005
【図４】
2015029337.tif 000006
【図５】
2015029337.tif 000007
【図６】
2015029337.tif 000008
【図７】
2015029337.tif 000009
【図８】
2015029337.tif 000010
【図９】
2015029337.tif 000011